(57)【要約】【課題】ＦＡＸ通信とデータ通信とをサポートしているサービスプロバイダへ発呼するときに、Ｖ．１７以下の通信を実行する場合、Ｖ．８プロトコルから移行することができ、サービスプロバイダは、ＦＡＸ通信とデータ通信とを確実に実行することができ、一方、ファクシミリ端末間におけるＶ．１７以下で通信する場合、従来のＶ．８手順を実行せずに、Ｖ．２１手順から実行することができ、したがって、Ｖ．１７以下の画伝送を確実に実行することができるようにする。【解決手段】ＡＮＳａｍ信号受信手段と、ＣＭ信号送信手段と、特定電話番号情報を登録する手段と、特定電話番号へ発呼したときと、それ以外の電話番号へ発呼したときとで、ファクシミリ通信が選択されているときの通信プロトコルを変更する通信プロトコル変更手段とを有する。【選択図】　図１
2004023125.tif 000002
【特許請求の範囲】
【請求項１】
相手先装置との間でＩＴＵ−Ｔ勧告Ｖ．８に規定されている手順を実行し、その手順に基づいて、上記相手先装置との間で実行可能な画伝送モードを設定するファクシミリ通信方式において、
ＡＮＳａｍ信号受信手段と；
ＣＭ信号送信手段と；
特定電話番号情報を登録する手段と；
特定電話番号へ発呼したときと、それ以外の電話番号へ発呼したときとで、ファクシミリ通信が選択されているときの通信プロトコルを変更する通信プロトコル変更手段と；
を有することを特徴とするファクシミリ装置。
【請求項２】
請求項１において、
ＦＡＸ通信で、特定電話番号へ発呼したときは、Ｖ．８手順を実行した後に、Ｖ．２１手順、Ｖ．１７、または、Ｖ．２９、または、Ｖ．２７ｔｅｒ高速通信を実行することを特徴とするファクシミリ装置。
【請求項３】
請求項１または請求項２において、
上記特定電話番号以外へ発呼したときは、Ｖ．８手順を実行せずに、Ｖ．２１手順、Ｖ．１７、または、Ｖ．２９、または、Ｖ．２７ｔｅｒ高速通信を実行することを特徴とするファクシミリ装置。
【請求項４】
請求項１〜請求項３のいずれか１項において、
ファクシミリ画伝送の変復調機能としては、Ｖ．２１、Ｖ．１７、または、Ｖ．２９、または、Ｖ．２７ｔｅｒを有していることを特徴とするファクシミリ装置。
【請求項５】
請求項１〜請求項３のいずれか１項において、
ファクシミリ画伝送の変復調機能としては、Ｖ．３４、Ｖ．２１、Ｖ．１７、または、Ｖ．２９、または、Ｖ．２７ｔｅｒを有していることを特徴とするファクシミリ装置。
【請求項６】
請求項５において、
Ｖ．３４通信禁止手段を有することを特徴とするファクシミリ装置。
【請求項７】
請求項１〜請求項６のいずれか１項において、
上記特定電話番号へ発呼するときは、データ通信が可能であることを特徴とするファクシミリ装置。
【請求項８】
請求項１〜請求項７のいずれか１項において、
上記特定電話番号の端末は、着信のときに、ＡＮＳａｍ信号を送信することを特徴とするファクシミリ装置。
【請求項９】
請求項１〜請求項８のいずれか１項において、
上記特定電話番号の端末は、着信のときに、データ通信とファクシミリ通信とがともに可能であることを特徴とするファクシミリ装置。
【発明の詳細な説明】
【０００１】
【発明の属する技術分野】
本発明は、ファクシミリ通信方式、特にＩＴＵ−Ｔ勧告Ｖ．８通信が可能なファクシミリ通信方式に関する。
【０００２】
【従来の技術】
１９９４年、ＩＴＵ−Ｔにおいて、勧告Ｖ．８が成立し、このＶ．８に規定される手順を、ファクシミリ装置に適用することが考えられる。このＶ．８による手順が適用されるファクシミリ装置としては、Ｖ．３４に規定される手順、画伝送をサポートするファクシミリ装置が対象とされている。ここで、その後、Ｖ．８において、Ｖ．１７以下の通信に対しても決定された。
【０００３】
一方、Ｖ．９０、Ｖ．９２の通信手順においても、呼接続後に、Ｖ．８手順が実行される。
【０００４】
【発明が解決しようとする課題】
一般に、ファクシミリ端末間でＶ．１７以下の画伝送を実行する時は、Ｖ．８手順を実行せずに、Ｖ．２１手順後に、Ｖ．１７、または、Ｖ．２９、または、Ｖ．２７ｔｅｒ画伝送を実行することが多い。
【０００５】
これは、Ｖ．８手順が決まる前から、Ｖ．１７以下の画伝送を実行するファクシミリ装置が、多数、世の中に出荷されているためである。したがって、ファクシミリ端末間でＶ．１７以下の画伝送を実行するときは、Ｖ．８手順を実行せずに、Ｖ．２１手順後に、Ｖ．１７、または、Ｖ．２９、または、Ｖ．２７ｔｅｒ画伝送を実行することが好ましい。
【０００６】
しかし、サービスプロバイダでデータ通信、ＦＡＸ通信を共にサポートする場合、ファクシミリ通信とデータ通信とが明確に識別される方が通信トラブルも無く好ましいが、発呼端末は、サービスプロバイダへ発呼し、ＦＡＸ通信を実行する場合も、ファクシミリ端末間での通信とプロトコルを変えないので、Ｖ．１７以下の画伝送を実行するときには、Ｖ．８手順を実行しないので、ファクシミリ通信とデータ通信とを、Ｖ．８手順で明確には識別できないという問題がある。
【０００７】
本発明は、ＦＡＸ通信とデータ通信とをサポートしているサービスプロバイダへ発呼するときに、Ｖ．１７以下の通信を実行する場合、Ｖ．８プロトコルから移行することができ、サービスプロバイダは、ＦＡＸ通信とデータ通信とを確実に実行することができ、一方、ファクシミリ端末間におけるＶ．１７以下で通信する場合、従来のＶ．８手順を実行せずに、Ｖ．２１手順から実行することができ、したがって、Ｖ．１７以下の画伝送を確実に実行することができるファクシミリ装置を提供することを目的とするものである。
【０００８】
【課題を解決するための手段】
本発明は、相手先装置との間でＩＴＵ−Ｔ勧告Ｖ．８に規定されている手順を実行し、その手順に基づいて、上記相手先装置との間で実行可能な画伝送モードを設定するファクシミリ通信方式において、ＡＮＳａｍ信号受信手段と、ＣＭ信号送信手段と、特定電話番号情報を登録する手段と、特定電話番号へ発呼したときと、それ以外の電話番号へ発呼したときとで、ファクシミリ通信が選択されているときの通信プロトコルを変更する通信プロトコル変更手段とを有するファクシミリ装置である。
【０００９】
【発明の実施の形態および実施例】
［第１の実施例］
まず、ＩＴＵ−Ｔによって勧告化されたＶ．８の手順信号について説明する。
【００１０】
Ｖ．８の手順信号には、起呼メニュー信号（以下、ＣＭという）と、ＣＭ終端子（以下、ＣＪという）と、共通メニュー信号（以下、ＪＭという）とが含まれている。
【００１１】
ＣＭは、起呼ＤＣＥから送信される信号であり、この信号は、主に起呼ＤＥＣで利用可能な変調方式を表示するために使用される。ＣＭは、勧告Ｖ．２１で定義された低域チャンネルＶ．２１（Ｌ）によって変調された３００ｂｉｔ／ｓの反復ビット列で構成されている。
【００１２】
ＣＪは、ＪＭを検出した確認とＣＭの終了とを示す信号である。ＣＪは、３００ｂｉｔ／ｓのＶ．２１（Ｌ）で変調され、スタートｂｉｔ／ｓとストップｂｉｔ／ｓとを含み、連続する３つの総て「０」のオクテットで構成されている。
【００１３】
ＪＭは、応答ＤＥＣから送信される信号であり、この信号は、主に起呼と応答ＤＥＣとで共通した利用可能な変調方式を示すために使用される。ＪＭは、勧告Ｖ．２１で定義されている高域チャンネルＶ．２１（Ｈ）によって変調された３００ｂｉｔ／ｓの反復ビット列で構成されている。
【００１４】
次に、ＣＭ、ＣＪ、ＪＭの各信号の符号化フォーマットについて、説明する。
【００１５】
図１２は、ＩＴＵ−Ｔ勧告Ｖ．８の手順信号に含まれるプリアンブルの構成を示す図である。
【００１６】
ＣＭ、ＣＪ、ＪＭには、共通の符号化フォーマットが使用され、各信号ＣＭ、ＣＪ、ＪＭは、繰り返すビットシーケンスで構成されている。１つのシーケンスは、図１２に示すように、最初１０個の「１」とそれに続く１０ビットの同期符号、さらに続く情報を載せたオクテットで構成されている。各オクテットのそれぞれには、先行するスタートビット（「０」）と、後続するストップビット（「１」）とが付加される。
【００１７】
ＪＭには、同じＶ．２１（Ｈ）変調を使用している勧告Ｔ．３０との混乱を避けるために、そのビット配置に、ＨＤＬＣフラグ（０１１１１１１０）が決して現れないような、符号制約条件が課せられている。
【００１８】
各オクテットは、ある１つの情報カテゴリに属する。大多数の応用によって信号の簡潔さが守られるならば、特別の応用のために情報カテゴリが拡張されることを、この符号化フォーマットは許容している。
【００１９】
１つのシーケンスの最初の情報カテゴリは、起呼機能でなければならない。それに後続する情報カテゴリのなかでは、特に順序は規定されていない。１つのカテゴリの中の総ての情報は、１オクテットまたは、必要であれば、順序が決められた１つのオクテット・シーケンスで伝達される。
【００２０】
次に、カテゴリオクテットについて、説明する。
【００２１】
図１３は、ＩＴＵ−Ｔ勧告Ｖ．８の手順信号の情報カテゴリを決定するカテゴリオクテットのフォームを示す図である。
【００２２】
カテゴリオクテットは、新たな情報カテゴリの中では、最初に発生されるオクテットであり、このオクテットには、情報カテゴリを決定する４ビットの符号を含んでいる。
【００２３】
このフォーマットは、以下のように構成され、表示されたビットは、左から右の順番で送信される。
【００２４】
スタートビット　（０）　ｂ０　ｂ１　ｂ２　０　１　０　ｂ６　ｂ７　ストップビット　（１）
ビットｂ０〜ｂ３は、図１３に示すように、ｂ０を最下位ビットとしたカテゴリを形成し、ビットｂ４は、フラグが成立しないように「０」に設定される。また、ｂ５〜ｂ７は、情報カテゴリのオプションビットである。
【００２５】
３つのオプションビットで、特定のカテゴリを表すのに不足する場合は、カテゴリオクテットの直後に、拡張オクテットをいくつでも続けることができる。
【００２６】
この拡張オクテットのフォーマットは、以下に示すように構成される。
【００２７】
スタートビット　（０）　ｂ０　ｂ１　ｂ２　０　１　０　ｂ６　ｂ７　ストップビット　（１）
ビットｂ０〜ｂ２、ｂ６、ｂ７は、そのときのカテゴリに追加される５つのビットである。ビットｂ４は、カテゴリオクテットから、拡張オクテットを区別するために、「１」に設定され、ｂ３とｂ５とは、フラグが成立しないように「０」に設定される。
【００２８】
次に、ビットｂ０〜ｂ３で決定される情報カテゴリである起呼機能、変調モード、プロトコル、ＧＳＴＮアクセスについて、説明する。
【００２９】
図１４は、起呼機能オクテットのビットの使用例を示す図である。
【００３０】
起呼機能オクテットの中の３つのオプションビットは、図１４に示すように、ｂｉｔ５、ｂｉｔ６、ｂｉｔ７で規定している特定の起呼機能を指定するために、使用されている。
【００３１】
図１５は、ＩＴＵ−Ｔ勧告Ｖ．８の手順信号で指定する変調モードを示す図である。
【００３２】
ＧＳＴＮで使用可能なＶシリーズ変調モードは、図１５に示すように、３つの符号で指定される。使用可能であるという設定は、表示された起呼機能の中でその変調モードが使用可能であり、かつ遠隔ＤＣＥに対しその能力を伝えたいと望む場合に限られる。
【００３３】
図１６は、ＩＴＵ−Ｔ勧告Ｖ．８の手順信号のプロトコルカテゴリ内部の符号一覧を表す図である。
【００３４】
プロトコルカテゴリ内部の符号一覧は、図１６に表されている。もし、ＬＡＰＭプロトコル符号がＣＭで示され、それを受け取った応答ＤＣＥ側が同じくＬＡＰＭを使用したい場合は、ＪＭでも、ＬＡＰＭを表示するプロトコルオクテットが表示される。
【００３５】
図１７は、ＩＴＵ−Ｔ勧告Ｖ．８の手順信号のＧＳＴＮに接続するセルラーアクセスを示す符号を表す図である。
【００３６】
ＧＳＴＮに接続するセルラーアクセスを表示する符号は、図１７に示されている。
【００３７】
次に、Ｖ．３４に規定されるＩＮＦＯ０の情報ビットについて、説明する。
【００３８】
図１８は、ＩＴＵ−Ｔ勧告によるＶ．３４のＩＮＦＯ０シーケンスのビット定義を示す図である。
【００３９】
ＩＮＦＯ０は、送信能力を表示するために使用される信号であり、その信号シーケンスのビットは、図１８に示すように、定義されている。
【００４０】
なお、本実施例では、ＩＮＦＯ０ａを被呼側から送出する信号とし、ＩＮＦＯ０ｃを発呼側から送出する信号とする。
【００４１】
図１は、本発明の第１の実施例であるファクシミリ装置ＦＳ１の構成を示すブロック図である。
【００４２】
ファクシミリ装置ＦＳ１において、電話回線２ａに接続されている網制御装置（以下、ＮＣＵという。）２を備える。ＮＣＵ２は、電話網をデータ通信などに使用するための回線端末へ接続するなどの電話交換網の接続制御、データ通信路への切替を行い、電話回線２ａと電話機４との接続、および電話回線２ａとハイブリッド回路６との接続を選択的に切り換える。
【００４３】
ＮＣＵ２と電話機４とは、信号線２ｂによって接続され、ＮＣＵ２とハイブリッド回路６とは、信号線２ｃによって接続されている。ＮＣＵ２の切換動作は、後述する制御回路２０によって制御される。信号線２０ａを介して、制御回路２０から与えられる制御信号が「０」であるときに、電話回線２ａと電話機４とが接続される。一方、上記制御信号が「１」であるときに、電話回線２ａとハイブリッド回路６とが接続される。なお、通常状態では、電話回線２ａと電話機４との接続が選択されている。
【００４４】
ハイブリッド回路６は、電話回線２ａを介して送信される送信系からの送信信号と、電話回線２ａを介して受信される受信系への受信信号とを分離する。
【００４５】
送信系は、ＣＣＤ（電化結合素子）などの撮像素子と光学系とによって構成される読取回路１４と、ＡＮＳａｍ送出回路１０とを有する。
【００４６】
読取回路１４は、主走査方向の１ライン分の画像を、送信原稿から順次、読み取り、この読み取られた画像を示すデータは、信号線１４ａに出力される。
【００４７】
ＡＮＳａｍ送出回路１０は、信号線２０ｄを介して、制御回路２０からレベル「１」の信号が与えられると、信号線１０ａにＡＮＳａｍ信号を出力する。一方、信号線２０ｄを介して、制御回路２０からレベル「０」の信号が与えられると、ＡＮＳａｍ信号を信号線１０ａへ出力しない。
【００４８】
信号線１４ａを介して読取回路１４から出力されたデータは、制御回路２０に与えられる。制御回路２０は、信号線１４ａを介して取り込まれたデータに符号化処理を施し、この符号化されたデータは、信号線２０ｂを介して、変復調器８に出力される。
【００４９】
変復調器８は、信号線２０ｂからの符号化されたデータに変調処理を施し、変調信号を生成するとともに、信号線６ａを介してハイブリッド回路６から取り込まれた受信信号に復調処理を施し、復調データを生成する。この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４半二重、Ｖ．３２、Ｖ．３２ｂｉｓ、Ｖ．３４全二重、Ｖ．９０に基づいて実行される。変復調器８による変調、復調処理の内容は、信号線２０ｃを介して制御回路２０から与えられる信号によって指示され、この指示された変調、復調処理によって、伝送モードが決定される。
【００５０】
変復調器８で生成された変調信号は、信号線８ａを介して加算回路１２に与えられる。加算回路１２は、変復調器８からの変調信号と、ＡＮＳａｍ送出回路１０からのＡＮＳａｍ信号とを加算する。
【００５１】
この加算された信号は、信号線１２ａを介してハイブリッド回路６に出力され、ハイブリッド回路６は、上記加算された信号を送信信号としてＮＣＵ２経由で電話回線２ａに送出する。
【００５２】
一方、受信系では、ＮＣＵ２経由で相手装置から受信した信号が、信号線６ａを介してハイブリッド回路６から変復調器８に出力される。変復調器８は、上記のように、信号線６ａを介して取り込まれた受信号に復調処理を施し、復調データを生成する。変復調器８で生成された復調データは、信号線８ｂを介して、制御回路２０に与えられる。制御回路２０は、復調データに復号化などの処理を施し、復号化されたデータは、信号線２０ｅを介して記録回路１６に与えられる。
【００５３】
記録回路１６は、復号化されたデータが示す画像を１ライン毎に順次、記録紙に記録する。
【００５４】
読取回路１４で読み取られたデータ、そのデータを符号化したデータ、受信したデータ、そのデータを復号化したデータは、必要に応じてメモリ回路１８に格納される。
【００５５】
制御回路２０は、相手先装置からの情報を受信し、相手先装置へ情報を送信するための伝送制御を行う。
【００５６】
上記伝送制御を規定する伝送制御手順として、ＩＴＵ−Ｔ勧告Ｖ．８、Ｖ．２１、Ｖ．２７ｔｅｒ，Ｖ．２９，Ｖ．１７，Ｖ．３４半二重、Ｖ．３２、Ｖ．３２ｂｉｓ、Ｖ．３４全二重、Ｖ．９０の各手順が用いられている。
【００５７】
制御回路２０は、具体的には、相手先装置との間でＩＴＵ−Ｔ勧告Ｖ．８に規定される手順を実行し、この手順に基づいて上記相手先装置との間で実行可能な画伝送モードを設定するファクシミリ通信方式において、ＡＮＳａｍ信号受信手段、ＣＭ信号送信手段、特定電話番号情報を登録する手段を有し、特定電話番号へ発呼したときとそれ以外の電話番号へ発呼したときに、ファクシミリ通信が選択時の通信プロトコルを変更する。ここで、ＦＡＸ通信で、特定電話番号へ発呼したときは、Ｖ．８手順を実行した後に、Ｖ．２１手順、Ｖ．１７、または、Ｖ．２９、または、Ｖ．２７ｔｅｒ高速通信を実行する。また、特定電話番号以外へ発呼したときは、Ｖ．８手順を実行せずに、Ｖ．２１手順、Ｖ．１７、または、Ｖ．２９、または、Ｖ．２７ｔｅｒ高速通信を実行する。
【００５８】
ここで、ファクシミリ画伝送の変復調機能として、Ｖ．２１、Ｖ．１７、または、Ｖ．２９、または、Ｖ．２７ｔｅｒを有している。また、特定電話番号へ発呼したときに、データ通信が可能である。
【００５９】
図２、図３、図４、図５、図６、図７、図８は、ファクシミリ装置ＦＳ１の動作を示すフローチャートである。
【００６０】
ステップＳ２では、信号線２０ａにレベル「０」の信号を出力し、ＣＭＬをオフし、ステップＳ４では、信号線２０ｄにレベル「０」の信号を出力することによって、ＡＮＳａｍ信号を出力しないように設定する。
【００６１】
ステップＳ６では、操作部の情報を入力し、サービスプロバイダの電話番号の登録が選択されたか否かを判定し、サービスプロバイダの電話番号の登録が選択されないと、ステップＳ１０へ進み、サービスプロバイダの電話番号の登録が選択されると、ステップＳ８に進み、メモリ１８にサービスプロバイダの電話番号を登録する。
ステップＳ１０では、発呼が選択されたか否かを判定する。発呼が選択されないと、ステップＳ１２が実行され、発呼が選択されると、ステップＳ１４が実行される。
【００６２】
ステップＳ１２では、その他の処理が実行され、その他の処理を実行した後に、再びステップＳ２に戻り、ステップＳ１４では、信号線２０ａにレベル「１」の信号を出力し、ＣＭＬをオンする。
【００６３】
ステップＳ１６では、サービスプロバイダへの発呼が選択されたか否かを判定する。サービスプロバイダへの発呼が選択されないと（一般の相手先とのファクシミリ通信が選択されると）、ステップＳ４４に進み、サービスプロバイダへの発呼が選択されると、ステップＳ１８が実行される。
【００６４】
ステップＳ１８では、発呼回路を使用して、サービスプロバイダの電話番号へ発呼する。
【００６５】
ステップＳ２０では、操作部の情報を入力し、データ通信が選択されたか否かを判定し、データ通信が選択されていると、ステップＳ２２へ進み、データ通信が選択されていないと（ファクシミリ通信が選択されていると）、ステップＳ２４に進む。
【００６６】
ステップＳ２２は、データ通信を実行し、Ｖ．８プロトコルを実行し、ステップＳ２４では、タイマＴ１に３５秒をセットする。
【００６７】
ステップＳ２６では、ＡＮＳａｍ信号を受信したか否かを判断し、ＡＮＳａｍ信号を受信していれば、ステップＳ３２に進み、ＡＮＳａｍ信号を受信していなければ、ステップＳ２８に進む。
【００６８】
ステップＳ２８では、Ｖ．２１のＤＩＳ信号を受信したか否かを判断し、Ｖ．２１のＤＩＳ信号を受信していれば、ステップＳ４０に進み、Ｖ．２１のＤＩＳ信号を受信していなければ、ステップＳ３０に進む。
【００６９】
ステップＳ３０では、タイマＴ１がタイムオーバしたか否かを判断し、タイマＴ１がタイムオーバしていれば、ステップＳ２に進み、タイマＴ１がタイムオーバしていなければ、ステップＳ２６に進む。
【００７０】
ステップＳ３２では、Ｖ．２１、Ｖ．２７ｔｅｒ、Ｖ．２９半二重、Ｖ．１７通信可のＣＭ信号を送信し、ステップＳ３４では、Ｖ．８のＪＭ信号を受信し、ステップＳ３６では、ＣＪ信号を送信し、ステップＳ３８では、Ｖ．２１のＮＳＦ／ＣＳＩ／ＤＩＳ信号を受信し、ステップＳ４０では、Ｖ．２１信号のＴＳＩ／ＤＣＳ信号を送信し、ステップＳ４２では、Ｖ．２１の手順、Ｖ．２７ｔｅｒ、または、Ｖ．２９、または、Ｖ．１７の画伝送を実行し、ステップＳ４４では、発呼回路を使用して、指定された宛先へ発呼し、ステップＳ４６では、タイマＴ１に３５秒をセットする。
【００７１】
ステップＳ４８では、Ｖ．２１のＤＩＳ信号を受信したか否かを判断し、Ｖ．２１のＤＩＳ信号を受信していれば、ステップＳ４０に進み、Ｖ．２１のＤＩＳ信号を受信していなければ、ステップＳ５０に進む。
【００７２】
ステップＳ５０では、タイマＴ１がタイムオーバしたか否かを判断し、タイマＴ１がタイムオーバすれば、ステップＳ２に進み、タイマＴ１がタイムオーバしていなければ、ステップＳ４８に進む。
【００７３】
図７、図８は、上記実施例におけるサービスプロバイダの着信制御を示す図である。
【００７４】
ステップＳ９２では、信号線２０ａにレベル「０」の信号を出力し、ＣＭＬをオフする。
【００７５】
次いで、ステップＳ９４では、着呼が選択されたか否かを判定する。着呼が選択されていなければ、ステップＳ９６が実行され、着呼が選択されると、ステップＳ９７が実行される。
【００７６】
ステップＳ９６では、その他の処理が実行され、その他の処理を実行した後に再びステップＳ９２に戻り、ステップＳ９７では、信号線２０ａにレベル「１」の信号を出力し、ＣＭＬをオンし、ステップＳ９８では、タイマＴ１に３５秒をセットし、ステップＳ１００では、タイマに５秒をセットし、ステップＳ１０２では、信号線２０ｄにレベル「１」の信号を出力することによって、ＡＮＳａｍ信号を出力するように設定する。
【００７７】
ステップＳ１０４では、ＣＭ信号を受信したか否かを判断し、ＣＭ信号を受信すると、ステップＳ１０８に進み、ＡＮＳａｍ信号の送信を止めた後に、ステップＳ１０８に進み、ＣＭ信号を受信しないと、ステップＳ１０６に進む。
【００７８】
ステップＳ１０６では、タイマがタイムオーバしたか否かを判断し、タイマがタイムオーバすると、ステップＳ１１６において、ＡＮＳａｍ信号の送信を止めた後に、ステップＳ１１８に進み、タイマがタイムオーバしていないと、ステップＳ１０４に進む。
【００７９】
ステップＳ１０８では、ＣＭ信号によって、データ通信が指定されたか否かを判断し、データ通信が指定されると、ステップＳ１０９に進み、データ通信を実行し、データ通信が指定されないと（ＦＡＸ通信が指定されると）、ステップＳ１１０に進む。
【００８０】
ステップＳ１１０では、ＣＭ信号によって、Ｖ．３４半二重通信が指定されたか否かを判断し、Ｖ．３４半二重通信が指定されていれば、ステップＳ１１２に進み、Ｖ．８プロトコル後、Ｖ．３４半二重通信を実行し、Ｖ．３４半二重通信が指定されていなければ、ステップＳ１１４に進む。
【００８１】
ステップＳ１１４では、Ｖ．８プロトコル後、Ｖ．２１手順、Ｖ．２７ｔｅｒ、または、Ｖ．２９、または、Ｖ．１７画通信を実行し、ステップＳ１１８では、Ｖ．２１信号でのＣＳＩ／ＤＩＳ信号を送信し、ステップＳ１２０では、Ｖ．２１手順、Ｖ．２７ｔｅｒ、または、Ｖ．２９、または、Ｖ．１７画通信を実行する。
【００８２】
次に、上記伝送制御手順について、説明する。
【００８３】
まず、被呼端末からＡＮＳａｍ信号を受信したときから、Ｖ．３４の手順、画伝送の実行までの伝送制御手順について、説明する。
【００８４】
図９は、ファクシミリ装置ＦＳ１に適用されるＶ．３４通信での伝送制御手順の一例を示す図である。
【００８５】
図９において、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送するときに実行可能な伝送モードが、被呼端末に通知される。
【００８６】
ＣＭ信号を受信した被呼端末は、ＣＭ信号で指定された伝送モードの中で、受信可能な伝送モード（Ｖ．３４）を発呼端末に通知し、この通知にＪＭ信号が用いられる。
【００８７】
ＪＭ信号を受信した発呼端末は、ＣＪ信号を送出することによって、伝送モードを被呼端末に通知する。
【００８８】
ＣＪ信号を送出してから（Ｖ．８手順が完了してから）５０ｍｓｅｃが経過した後に、発呼端末は、Ｖ．３４手順の実行を開始し、電話回線２ａの状況をチェックするためのラインプルービング信号（先頭にＩＮＦＯ０ｃが付加されている信号）を送出する。被呼端末は、発呼端末からのラインプルービング信号に応答した信号（先頭にＩＮＦＯ０ａが付加されている信号）を送出し、この信号によって以後の送出レベル、振幅レベルの補正、伝送ボーレートを発呼端末に通知する。
【００８９】
発呼端末は、ラインプルービング信号を送出してから５０ｍｓｅｃが経過した後に、ロングトレーニング信号を送出し、被呼端末は、このロングトレーニング信号に基づいて、モデムの等化器の調整、タイミング検出などを実施する。
【００９０】
発呼端末は、ロングトレーニング信号を送出してから５０ｍｓｅｃが経過した後に、パラメータ交換信号を送出する。被呼端末は、パラメータ交換信号に応答した信号を送出し、この信号によって、以後のリンク補正、ビットレートを発呼端末に通知する。
【００９１】
パラメータ交換信号に応答した後、被呼端末は、ＣＳＩ、ＤＩＳ信号を送出し、発呼端末からのＴＳＩ、ＤＣＳ信号を受信するまでフラグを送出し、ＴＳＩ、ＤＣＳ信号を受信した後に、ＣＦＲ信号を送出する。発呼端末は、ＣＳＩ、ＤＩＳ信号を受信した後に、ＴＳＩ、ＤＣＳ信号を送出し、被呼端末からのＣＦＲ信号を受信するまで、フラグを送出する。
【００９２】
発呼端末は、フラグを送出してから５０ｍｓｅｃ経過後に、Ｖ．３４による画伝送を開始し、画信号を送出する。画信号送出を終了してから５０ｍｓｅｃ経過後に、Ｖ．３４による手順が実行され、発呼端末から、ＰＰＳ−ＭＰＳ信号が送出され、被呼端末からＭＣＦ信号を受信するまで、フラグが送出される。被呼端末は、ＰＰＳ−ＭＰＳ信号を受信した後に、ＭＣＦ信号を送出する。
【００９３】
フラグを送出してから５０ｍｓｅｃ経過後に、Ｖ．３４による画伝送が実行され、発呼端末から、再び、画信号が送出される。画信号送出を終了してから５０ｍｓｅｃ経過後に、Ｖ．３４による手順が実行され、発呼端末は、ＰＰＳ−ＥＯＰ信号を送出し、ＭＣＦ信号を受信するまでフラグを送出する。被呼端末は、ＰＰＳ−ＥＯＰ信号を受信した後に、ＭＣＦ信号を送出する。以降、上記と同様の手順が、画伝送が終了するまで繰り返される。
【００９４】
次に、被呼端末からのＡＮＳａｍ信号の受信から、Ｖ．８の手順後、Ｖ．８プロトコルを実行し、Ｖ．１７以下の通信について、説明する。
【００９５】
図１０は、ファクシミリ装置ＦＳ１に適用されるサービスプロバイダへ発呼した時のＶ．１７以下の通信での伝送制御手順の例を示す図である。
【００９６】
図１０において、まず、被呼端末は、ＡＮＳａｍを送信し、発呼端末は、Ｖ．２１、Ｖ．２７ｔｅｒ、Ｖ．２９半二重、Ｖ．１７通信可能なＣＭ信号を送信する。このときに、受信機は、ＣＭ信号を受信した後に、Ｖ．２１、Ｖ．２７ｔｅｒ、Ｖ．２９半二重、Ｖ．１７通信可能なＪＭ信号を送信する。発呼端末は、このＪＭ信号の受信に基づいて、ＣＪ信号を送信する。
【００９７】
受信機は、Ｖ．２１のＮＳＦ／ＣＳＩ／ＤＩＳ信号を送信し、送信機は、Ｖ．２１のＴＳＩ／ＤＣＳ信号を送信し、Ｖ．２１手順、Ｖ．２７ｔｅｒ、または、Ｖ．２９、または、Ｖ．１７画伝送を実行する。
【００９８】
次に、被呼端末から受信したＡＮＳａｍ信号に応答しないで、Ｖ．８の手順をせずに、Ｖ．２１プロトコルを実行し、Ｖ．１７以下の通信について説明する。
【００９９】
図１１は、ファクシミリ装置ＦＳ１に適用されるサービスプロバイダ以外（一般の宛先）へ発呼したときにおけるＶ．１７以下の通信での伝送制御手順の例を示す図である。
【０１００】
図１１において、まず、被呼端末が、ＡＮＳａｍを送信し、送信機が、このＡＮＳａｍに応答しない。すると、受信機は、Ｖ．２１のＮＳＦ／ＣＳＩ／ＤＩＳ信号を送信し、送信機は、Ｖ．２１のＴＳＩ／ＤＣＳ信号を送信し、Ｖ．２１手順、Ｖ．２７ｔｅｒ、または、Ｖ．２９、または、Ｖ．１７画伝送を実行する。
【０１０１】
［第２の実施例］
本発明の第２の実施例は、第１の実施例において、ファクシミリ画伝送の変復調機能として、Ｖ．３４、Ｖ．２１、Ｖ．１７、または、Ｖ．２９、または、Ｖ．２７ｔｅｒを有し、さらに、Ｖ．３４通信禁止手段を有し、Ｖ．３４通信が禁止されているときに、第１の実施例における通信制御を実行する実施例である。
【０１０２】
図５、図６は、第２の実施例の動作を示すフローチャートであり、図２〜図４に示すフローチャートと異なる部分の制御動作を示すフローチャートである。
【０１０３】
ステップＳ６０は、ステップＳ１２を表し、ステップＳ６２では、操作部の情報を入力し、Ｖ．３４通信禁止の登録が選択されたか否かを判定し、Ｖ．３４通信禁止の登録が選択されないと、ステップＳ６６（Ｓ２）へ進み、Ｖ．３４通信禁止の登録が選択されると、ステップＳ６４に進み、メモリ１８にＶ．３４通信を禁止する／しないを登録する。
【０１０４】
ステップＳ６８は、ステップＳ２６のＹＥＳを表し、ステップＳ７０では、メモリ１８の情報を入力し、Ｖ．３４通信の禁止が登録されているか否かを判定する。Ｖ．３４通信禁止が登録されていないと、ステップＳ７４が実行され、Ｖ．３４通信禁止が登録されていると、ステップＳ７２（Ｓ３２）が実行される。
【０１０５】
ステップＳ７４では、Ｖ．２１、Ｖ．２７ｔｅｒ、Ｖ．２９半二重、Ｖ．１７、Ｖ．３４半二重通信可のＣＭ信号を送信し、ステップＳ７６では、Ｖ．８のＪＭ信号を受信し、ステップＳ７８では、ＣＪ信号を送信する。
【０１０６】
ステップＳ８０では、受信機がＶ．３４半二重受信機能を有するか否かを判定し、Ｖ．３４半二重受信機能を有すると、ステップＳ８４に進み、Ｖ．３４半二重プロトコル、画伝送を実行し、Ｖ．３４半二重受信機能を有しないとステップＳ８２（Ｓ３８）に進む。
【０１０７】
ステップＳ８６は、ステップＳ２を表している。
【０１０８】
上記実施例によれば、ＦＡＸ通信とデータ通信とをサポートしているサービスプロバイダへ発呼するときに、Ｖ．１７以下の通信を実行する場合、Ｖ．８プロトコルから移行することができ、サービスプロバイダは、ＦＡＸ通信とデータ通信とを確実に実行することができ、一方、ファクシミリ端末間におけるＶ．１７以下で通信する場合、従来のＶ．８手順を実行せずに、Ｖ．２１手順から実行することができ、したがって、Ｖ．１７以下の画伝送を確実に実行することができる。
【０１０９】
上記実施例によれば、ファクシミリ画伝送の変復調機能として、Ｖ．２１、Ｖ．１７、または、Ｖ．２９、または、Ｖ．２７ｔｅｒを有し、これによって、ファクシミリ装置の画伝送として、Ｖ．１７以下のみを有している端末での制御が明確である。
【０１１０】
また、上記実施例によれば、ファクシミリ画伝送の変復調機能としては、Ｖ．３４、Ｖ．２１、Ｖ．１７、または、Ｖ．２９、または、Ｖ．２７ｔｅｒを有し、また、Ｖ．３４通信禁止手段を有する。これらによって、ファクシミリ装置の画伝送として、Ｖ．１７以下に加えて、Ｖ．３４通信機能を有している端末での制御が明確である。
【０１１１】
さらに、上記実施例によれば、特定電話番号への発呼時は、データ通信が可能であり、これによって、ファクシミリ装置が、特定電話番号へ発呼することはサービスプロバイダへ発呼することであり、データ通信の選択も可能である点が明確である。
【０１１２】
そして、上記実施例によれば、特定電話番号の端末は、着信のときに、ＡＮＳａｍ信号を送信するので、特定電話番号の端末は着信のときに、データ通信とファクシミリ通信とがともに可能であることが明確であり、これらによって、サービスプロバイダ側の機能が明確になり、送信ファクシミリ端末とともに、データ通信とＦＡＸ通信を確実に行うことができる。
【０１１３】
【発明の効果】
本発明によれば、ＦＡＸ通信とデータ通信とをサポートしているサービスプロバイダへ発呼するときに、Ｖ．１７以下の通信を実行する場合、Ｖ．８プロトコルから移行することができ、サービスプロバイダは、ＦＡＸ通信とデータ通信とを確実に実行することができ、一方、ファクシミリ端末間におけるＶ．１７以下で通信する場合、従来のＶ．８手順を実行せずに、Ｖ．２１手順から実行することができ、したがって、Ｖ．１７以下の画伝送を確実に実行することができるという効果を奏する。
【図面の簡単な説明】
【図１】本発明の第１の実施例であるファクシミリ装置ＦＳ１の構成を示すブロック図である。
【図２】ファクシミリ装置ＦＳ１の動作を示すフローチャートである。
【図３】ファクシミリ装置ＦＳ１の動作を示すフローチャートである。
【図４】ファクシミリ装置ＦＳ１の動作を示すフローチャートである。
【図５】第２の実施例の動作を示すフローチャートである。
【図６】第２の実施例の動作を示すフローチャートである。
【図７】上記実施例におけるサービスプロバイダの着信制御を示す図である。
【図８】上記実施例におけるサービスプロバイダの着信制御を示す図である。
【図９】ファクシミリ装置ＦＳ１に適用されるＶ．３４通信での伝送制御手順の一例を示す図である。
【図１０】ファクシミリ装置ＦＳ１に適用されるサービスプロバイダへ発呼した時のＶ．１７以下の通信での伝送制御手順の例を示す図である。
【図１１】ファクシミリ装置ＦＳ１に適用されるサービスプロバイダ以外（一般の宛先）へ発呼したときにおけるＶ．１７以下の通信での伝送制御手順の例を示す図である。
【図１２】ＩＴＵ−Ｔ勧告Ｖ．８の手順信号に含まれるプリアンブルの構成を示す図である。
【図１３】ＩＴＵ−Ｔ勧告Ｖ．８の手順信号の情報カテゴリを決定するカテゴリオクテットのフォームを示す図である。
【図１４】起呼機能オクテットのビットの使用例を示す図である。
【図１５】ＩＴＵ−Ｔ勧告Ｖ．８の手順信号で指定する変調モードを示す図である。
【図１６】ＩＴＵ−Ｔ勧告Ｖ．８の手順信号のプロトコルカテゴリ内部の符号一覧を表す図である。
【図１７】ＩＴＵ−Ｔ勧告Ｖ．８の手順信号のＧＳＴＮに接続するセルラーアクセスを示す符号を表す図である。
【図１８】ＩＴＵ−Ｔ勧告によるＶ．３４のＩＮＦＯ０シーケンスのビット定義を示す図である。
【符号の説明】
ＦＳ１…ファクシミリ装置、
４…電話機、
１０…ＡＮＳａｍ送出回路、
１４…読取回路、
１６…記録回路、
１８…メモリ回路、
２０…制御回路。
【図１】
2004023125.tif 000003
【図２】
2004023125.tif 000004
【図３】
2004023125.tif 000005
【図４】
2004023125.tif 000006
【図５】
2004023125.tif 000007
【図６】
2004023125.tif 000008
【図７】
2004023125.tif 000009
【図８】
2004023125.tif 000010
【図９】
2004023125.tif 000011
【図１０】
2004023125.tif 000012
【図１１】
2004023125.tif 000013
【図１２】
2004023125.tif 000014
【図１３】
2004023125.tif 000015
【図１４】
2004023125.tif 000016
【図１５】
2004023125.tif 000017
【図１６】
2004023125.tif 000018
【図１７】
2004023125.tif 000019
【図１８】
2004023125.tif 000020